(57)【要約】  天面（２８）及び底面が開口した箱状であり、側面に排気口が設けられ、底面の開口が吸気口をなす換気扇本体（２）と、換気扇本体（２）の天面を塞ぎ、換気扇本体の底面の開口を通じて換気扇本体に着脱可能なモータ取付板（２２）と、吸気口から換気扇本体（２）の中に流入して排気口から流出する気流を形成するファン、及びファンを駆動するモータ（３）を有し、モータ（３）がモータ取付板（２２）に固定される送風機と、モータ取付板（２２）の上面に設置され、外部電源電線（２１）とモータ（３）とを電気的に接続する電線接続装置と、モータ取付板（２２）の上面に設置され、換気扇本体（２）の外での電線接続装置と外部電源電線（２１）との電気的接続の確実性が低下することを防止する電源電線固定部品（２９）とを備える。
2019162986.tif 000002
【特許請求の範囲】
【請求項１】
天面及び底面が開口した箱状であり、側面に排気口が設けられ、前記底面の開口が吸気口をなす換気扇本体と、
前記換気扇本体の前記天面を塞ぎ、前記換気扇本体の前記底面の開口を通じて前記換気扇本体に着脱可能なモータ取付板と、
前記吸気口から前記換気扇本体の中に流入して前記排気口から流出する気流を形成するファン、及び前記ファンを駆動するモータを有し、前記モータが前記モータ取付板に固定される送風機と、
前記モータ取付板の上面に設置され、外部電源電線と前記モータとを電気的に接続する電線接続装置と、
前記モータ取付板の上面に設置され、前記換気扇本体の外での前記電線接続装置と前記外部電源電線との電気的接続の確実性が低下することを防止する保護部材とを備え、
前記送風機、前記電線接続装置及び前記保護部材は、前記モータ取付板とともに前記換気扇本体の前記底面の開口を通じて、前記換気扇本体に着脱可能であることを特徴とするダクト用換気扇。
【請求項２】
前記保護部材は、前記外部電源電線が前記電線接続装置から引き抜かれることを防止する電源電線固定部品であり、前記電源電線固定部品は前記モータ取付板に固定されることを特徴とする請求項１に記載のダクト用換気扇。
【請求項３】
前記保護部材は、前記外部電源電線の結線部に埃が侵入することを防止する埃侵入抑制カバーであり、前記埃侵入抑制カバーはモータ取付板に固定されることを特徴とする請求項１に記載のダクト用換気扇。
【請求項４】
前記保護部材は、前記外部電源電線が前記電線接続装置から引き抜かれることを防止する電源電線固定部品と、前記外部電源電線の結線部に埃が侵入することを防止する埃侵入抑制カバーとを含み、前記電源電線固定部品及び前記埃侵入抑制カバーは前記モータ取付板に固定されることを特徴とする請求項１に記載のダクト用換気扇。
【請求項５】
前記埃侵入抑制カバーは、難燃性又は不燃性であることを特徴とする請求項３又は４に記載のダクト用換気扇。
【請求項６】
前記換気扇本体は前記送風機を収容するファンケーシングを備え、前記ファンケーシングは前記モータ取付板に固定されることを特徴とする請求項１から５のいずれか１項に記載のダクト用換気扇。
【請求項７】
前記送風機を制御する制御回路が、前記モータ取付板に取り付けられることを特徴とする請求項１から５のいずれか１項に記載のダクト用換気扇。
【発明の詳細な説明】
【技術分野】
【０００１】
本発明は、ダクトを通じて換気を行うダクト用換気扇に関する。
【背景技術】
【０００２】
特許文献１には、ファンケーシングを収容する換気扇本体の上面に設置した電線接続装置に外部電源電線を挿入して、電線接続装置と外部電源電線とを電気的に接続するダクト用換気扇が開示されている。
【先行技術文献】
【特許文献】
【０００３】
【特許文献１】特許第５１２５５５５号公報
【発明の概要】
【発明が解決しようとする課題】
【０００４】
しかしながら、上記特許文献１に開示される発明は、換気扇本体の上面に設置された電線接続装置へアクセスしにくく、電線接続装置と外部電源電線との接続作業及び電線接続装置の結線部のメンテナンス作業を行いにくい。したがって、特許文献１に開示される発明は、換気扇本体の外での外部電源電線と電線接続装置との電気的な接続の確実性が低下する可能性があった。【０００５】
本発明は、上記に鑑みてなされたものであって、換気扇本体の外での外部電源電線と電線接続装置との電気的な接続の確実性が低下しにくいダクト用換気扇を得ることを目的とする。
【課題を解決するための手段】
【０００６】
上述した課題を解決し、目的を達成するために、本発明は、天面及び底面が開口した箱状であり、側面に排気口が設けられ、底面の開口が吸気口をなす換気扇本体と、換気扇本体の天面を塞ぎ、換気扇本体の底面の開口を通じて換気扇本体に着脱可能なモータ取付板と、吸気口から換気扇本体の中に流入して排気口から流出する気流を形成するファン、及びファンを駆動するモータを有し、モータがモータ取付板に固定される送風機と、モータ取付板の上面に設置され、外部電源電線とモータとを電気的に接続する電線接続装置と、モータ取付板の上面に設置され、換気扇本体の外での電線接続装置と外部電源電線との電気的接続の確実性が低下することを防止する保護部材とを備える。送風機、電線接続装置及び保護部材は、モータ取付板とともに換気扇本体の底面の開口を通じて、換気扇本体に着脱可能である。
【発明の効果】
【０００７】
本発明に係るダクト用換気扇は、換気扇本体の外での外部電源電線と電線接続装置との電気的な接続の確実性が低下しにくいという効果を奏する。
【図面の簡単な説明】
【０００８】
【図１】本発明の実施の形態１に係るダクト用換気扇の取り付け状態を示す断面図
【図２】実施の形態１に係るダクト用換気扇の化粧グリルを未装着状態での下面図
【図３】実施の形態１に係るダクト用換気扇の外部電源電線を敷設前の天面側の斜視図
【図４】実施の形態１に係るダクト用換気扇の外部電源電線を敷設後の天面側の斜視図
【図５】実施の形態１に係るダクト用換気扇の取り付け状態を示す断面図
【図６】実施の形態１に係るダクト用換気扇の換気扇本体の天面からモータ取付板を取り外した状態を示す断面図
【図７】実施の形態１に係るダクト用換気扇の換気扇本体の天面からモータ取付板を取り外した状態を示す天面側の斜視図
【図８】本発明の実施の形態２に係るダクト用換気扇の天面側の斜視図
【図９】実施の形態２に係るダクト用換気扇の取り付け状態を示す断面図
【図１０】実施の形態２に係るダクト用換気扇の換気扇本体の天面からモータ取付板を取り外した状態を示す断面図
【図１１】実施の形態２に係るダクト用換気扇の換気扇本体の天面からモータ取付板を取り外した状態を示す天面側の斜視図
【発明を実施するための形態】
【０００９】
以下に、本発明の実施の形態に係るダクト用換気扇を図面に基づいて詳細に説明する。なお、この実施の形態によりこの発明が限定されるものではない。
【００１０】
実施の形態１．
図１は、本発明の実施の形態１に係るダクト用換気扇の取り付け状態を示す断面図である。図２は、実施の形態１に係るダクト用換気扇の化粧グリルを未装着状態での下面図である。図３は、実施の形態１に係るダクト用換気扇の外部電源電線を敷設前の天面側の斜視図である。図４は、実施の形態１に係るダクト用換気扇の外部電源電線を敷設後の天面側の斜視図である。実施の形態１に係るダクト用換気扇１００は、天井２５に開口を設け室内外を連通させるダクト１４に室内側からダクト接続口８を挿入して室内の空気を換気する。ダクト用換気扇１００は、換気扇本体２と、換気扇本体２の側部に設けられ換気扇本体２の側面から直角方向に延び、気流の吐出口となる排気口１０をダクト１４に連通する位置まで延長するダクト接続口８と、換気する空気を流通させる換気駆動体である送風機１とを有している。換気扇本体２は、送風機１を収納するファンケーシング５を有している。実施の形態１に係るダクト用換気扇１００は、天井２５に形成された開口を通じて天井裏に配置され、屋外に通じるダクト１４に室内側からダクト接続口８を挿入して設置される。
【００１１】
ダクト用換気扇１００は、天井２５に開けられた本体埋込穴２６に埋込み、換気扇本体２のフランジ２ａに設けられたねじ穴２７を通じて天井２５にねじを打ち込むことで固定される。ダクト用換気扇１００は、ファンケーシング５といった内部部品が見えて見栄えが悪くならないようにするため意匠部品である化粧グリル１２を備える。化粧グリル１２は、本体取付用のスプリング１３を備えており、スプリング１３をファンケーシング５に備えられているスプリング固定部７に引っ掛けることにより固定される。
【００１２】
換気扇本体２は、天面２８及び底面が開口した箱状であり、側面に排気口１０が設けられている。換気扇本体２は、底面の開口が吸気口をなす。排気口１０にはダクト接続口８が接続される。天面２８の開口は、モータ取付板２２によって塞がれている。モータ取付板２２は、天面２８に下側からモータ取付板固定ねじ３０で固定されている。モータ取付板２２は、モータ取付板固定ねじ３０を取り外すことで、天面２８から開口側に取り外し可能となる。すなわち、モータ取付板２２は、換気扇本体２の底面の開口を通じて換気扇本体２に着脱可能である。
【００１３】
送風機１は、モータ３と、モータ３の駆動軸に差込結合されたファン４とから構成されている。ファン４は、吸気口から換気扇本体２の中に流入して排気口１０から流出する気流を形成する。モータ３は、ファン４を駆動する。モータ３は、モータ取付板２２に固定されている。
【００１４】
ファンケーシング５は、底面が開放されて吸込口６が形成されている。電線接続装置２０とモータ３とは、モータ電線２３により電気的に接続されている。電線接続装置２０は、電線接続装置カバー１１で覆われており、天井裏の埃が付着しにくくなっている。外部電源電線２１を通じて供給された電力が電線接続装置２０を介しモータ電線２３からモータ３に流れることで、電気エネルギーがモータ３のシャフトの回転運動に変換される。モータ３が回転運動をファン４に伝えることでファン４が回転し、ファンケーシング５内に空気の流れが形成される。ファンケーシング５は、吸込口６から吸われた空気が送風機１によってファンケーシング５の内壁に沿って排気口１０に至る排気風路を形成している。実施の形態１でのファンケーシング５は、モータ取付板２２にねじによって固定されており、モータ取付板２２と一体に取り外し可能である。ただし、ファンケーシング５は、天面２８に固定され、モータ取付板２２とは別に取り外す構造であってもよい。
【００１５】
ダクト接続口８は、径の異なる段状の外形を有している。ダクト接続口８の外形が径の異なる段状であることにより、径が異なるダクト１４に接続することが可能であるとともに、テーピングなどの作業性が向上する。ダクト接続口８内には、風圧にて開閉するシャッタ９が設けられている。シャッタ９は、ダクト用換気扇１００の運転時には風圧で開き、停止時はシャッタ９の自重でダクト接続口８を閉鎖する。ダクト接続口８内にシャッタ９を設けることで、ダクト用換気扇１００の停止時に屋外からの外風が室内に侵入するのを防止することができる。
【００１６】
ダクト１４は、屋外まで延びており建物の屋外外壁に備えたフードなどと連結し、住宅内の空気を換気する換気風路を形成している。
【００１７】
モータ取付板２２には、送風機１を制御する制御回路１５といった部品も取り付けられている。モータ取付板２２の上面に設置された電線接続装置２０は、外部電源電線２１と接続される。図３及び図４に示す外部電源電線２１は２芯のケーブルであるが、ダクト用換気扇１００が複数段階で風量を設定できる機種の場合は３芯以上のケーブルを用いる場合もある。外部電源電線２１は、電線接続装置２０の結線部２０ａに挿入することにより、電線接続装置２０内部にて固定され、電気的に接続される構造となっている。電線接続装置２０は、解除ボタン２４を押すことで外部電源電線２１の固定解除が可能であり、解除ボタン２４が押されている状態では外部電源電線２１を結線部２０ａから引き抜くことが可能である。
【００１８】
しかしながら、解除ボタン２４を押さずとも外部電源電線２１に結線部２０ａから引き抜く方向の強い力を加え続けると、外部電源電線２１が電線接続装置２０の結線部２０ａから抜けてしまうといった懸念がある。電気が流れた状態で外部電源電線２１が電線接続装置２０の結線部２０ａから抜けてしまうと、外部電源電線２１の芯線同士がショートする可能性がある。
【００１９】
図５は、実施の形態１に係るダクト用換気扇の取り付け状態を示す断面図である。図６は、実施の形態１に係るダクト用換気扇の換気扇本体の天面からモータ取付板を取り外した状態を示す断面図である。図７は、実施の形態１に係るダクト用換気扇の換気扇本体の天面からモータ取付板を取り外した状態を示す天面側の斜視図である。実施の形態１に係るダクト用換気扇１００は、化粧グリル１２を取り外した状態では、換気扇本体２及びダクト接続口８を天井２５に残したまま、その他の部品をモータ取付板２２ごと換気扇本体２の開口面側に取り出すことが可能である。電線接続装置２０もまたモータ取付板２２の上面に固定されて取り付けられており、モータ取付板２２に取り付けられているモータ３及び他の部品とともに取り外し可能である。モータ取付板２２に取り付けられているモータ３及び他の部品とともに電線接続装置２０を取り外し可能な構造とすることで天井２５にメンテナンスのための開口を設けなくともモータ３などのメンテナンスが容易に可能となる。
【００２０】
実施の形態１に係るダクト用換気扇１００は、モータ取付板２２の上面又はモータ取付板２２の上面に取り付けられた部品上に電源電線固定部品２９を取り付け可能とし外部電源電線２１を固定可能にしている。電源電線固定部品２９で外部電源電線２１を固定することにより、外部電源電線２１に電線接続装置２０から抜き取る方向の力が加わっても、電源電線固定部品２９によって力は抑制される。したがって、外部電源電線２１に電線接続装置２０から抜き取る方向の力が加わっても、電線接続装置２０に対して力が伝わることがなく、外部電源電線２１が電線接続装置２０から抜けるおそれがない。すなわち、実施の形態１に係るダクト用換気扇１００において、電源電線固定部品２９は、換気扇本体２の外での電線接続装置２０と外部電源電線２１との電気的接続の確実性が低下することを防止する保護部材である。また、電源電線固定部品２９をモータ取付板２２の上面又はモータ取付板２２の上面に取り付けられた部品上に取り付けることで、モータ取付板２２に取り付けられる部品とともに取り外し可能であり、モータ取付板２２の取り外しの際も外部電源電線２１が抜けるおそれがない。
【００２１】
実施の形態１に係るダクト用換気扇１００は、設置位置付近の天井２５にメンテナンス用の穴を設けなくても、モータ３を始めとする電子部品のメンテナンスが可能であるため、天井２５を備える建屋の建築時にメンテナンス用の穴を設ける位置を考慮する必要がない。
【００２２】
実施の形態１に係るダクト用換気扇１００は、電線接続装置２０から外部電源電線２１が抜けることを防止しているため、換気扇本体２の外での電線接続装置２０と外部電源電線２１との電気的な接続の確実性が低下しにくい。
【００２３】
実施の形態２．
図８は、本発明の実施の形態２に係るダクト用換気扇の天面側の斜視図である。実施の形態２に係るダクト用換気扇１００は、外部電源電線２１の電線接続装置２０への挿入部に埃が侵入することを抑制する埃侵入抑制カバー３１を備えている点で、実施の形態１に係るダクト用換気扇１００と相違している。埃侵入抑制カバー３１は、難燃性材料又は不燃性材料で形成されている。埃侵入抑制カバー３１は、モータ取付板２２の上面に固定されている。埃侵入抑制カバー３１により電線接続装置２０の結線部２０ａへの埃の侵入を抑制でき、換気扇本体２の外での電線接続装置２０と外部電源電線２１との電気的な接続の確実性が低下することを防止できる。また、埃侵入抑制カバー３１により電線接続装置２０の結線部２０ａへの埃の侵入を抑制でき、天井裏の埃又は断熱材によるトラッキングが防止される。また、埃侵入抑制カバー３１は難燃性材料又は不燃性材料で形成されているため、たとえ電線接続装置２０の結線部２０ａでトラッキングが発生しても、延焼を防止できる。
【００２４】
実施の形態２に係るダクト用換気扇１００において、換気扇本体２の外での電線接続装置２０と外部電源電線２１との電気的接続の確実性が低下することを防止する保護部材は、外部電源電線２１が電線接続装置２０から引き抜かれることを防止する電源電線固定部品２９と、外部電源電線２１の結線部２０ａに埃が侵入することを防止する埃侵入抑制カバー３１とを含む。すなわち、実施の形態２に係るダクト用換気扇１００においては、電源電線固定部品２９だけでなく埃侵入抑制カバー３１も、換気扇本体２の外での電線接続装置２０と外部電源電線２１との電気的接続の確実性が低下することを防止する保護部材である。
【００２５】
図９は、実施の形態２に係るダクト用換気扇の取り付け状態を示す断面図である。図１０は、実施の形態２に係るダクト用換気扇の換気扇本体の天面からモータ取付板を取り外した状態を示す断面図である。図１１は、実施の形態２に係るダクト用換気扇の換気扇本体の天面からモータ取付板を取り外した状態を示す天面側の斜視図である。埃侵入抑制カバー３１が天面２８に固定されている場合は、モータ取付板２２を取り外す際に、埃侵入抑制カバー３１は天面２８に残ってしまう。したがって、埃侵入抑制カバー３１が天面２８に固定されている場合は、埃侵入抑制カバー３１の外部電源電線２１が通る部分に外部電源電線２１が引っ掛かって外部電源電線２１の被覆に傷がつくことがあり、モータ取付板２２は容易に取り外すことができない。実施の形態２に係るダクト用換気扇１００は、埃侵入抑制カバー３１をモータ取付板２２上に設けているため、モータ取付板２２ごとメンテナンス部品を取り外す際に、埃侵入抑制カバー３１も同時に取り外し可能となっている。したがって、実施の形態２に係るダクト用換気扇１００は、モータ取付板２２を容易に取り外すことができる。
【００２６】
実施の形態２に係るダクト用換気扇１００は、設置位置付近の天井２５にメンテナンス用の穴を設けなくても、モータ３を始めとする電子部品のメンテナンスが可能であるため、天井２５を備える建屋の建築時にメンテナンス用の穴を設ける位置を考慮する必要がない。
【００２７】
実施の形態２に係るダクト用換気扇１００は、実施の形態１に係るダクト用換気扇１００と同様に、電源電線固定部品２９も、モータ取付板２２の上面又はモータ取付板２２の上面に取り付けられた部品上に設けられている。これにより外部電源電線２１の電線接続装置２０への挿入部にかかる張力を抑制可能であり、電線接続装置２０から外部電源電線２１が抜けにくい。
【００２８】
なお、電源電線固定部品２９と埃侵入抑制カバー３１とを一体に形成してもよい。電源電線固定部品２９と埃侵入抑制カバー３１とを一体にすることにより、部品点数を減らすことができる。また、実施の形態２に係るダクト用換気扇１００は、電源電線固定部品２９を備えていなくてもよい。すなわち、実施の形態２に係るダクト用換気扇１００において、換気扇本体２の外での電線接続装置２０と外部電源電線２１との電気的接続の確実性が低下することを防止する保護部材は、埃侵入抑制カバー３１のみであってもよい。
【００２９】
実施の形態２に係るダクト用換気扇１００は、電線接続装置２０の結線部２０ａに埃が侵入することを抑制する埃侵入抑制カバー３１を備えるため、換気扇本体２の外での電線接続装置２０と外部電源電線２１との電気的な接続の確実性が低下しにくい。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  送風機、２  換気扇本体、２ａ  フランジ、３  モータ、４  ファン、５  ファンケーシング、６  吸込口、７  スプリング固定部、８  ダクト接続口、９  シャッタ、１０  排気口、１１  電線接続装置カバー、１２  化粧グリル、１３  スプリング、１４  ダクト、１５  制御回路、２０  電線接続装置、２０ａ  結線部、２１  外部電源電線、２２  モータ取付板、２３  モータ電線、２４  解除ボタン、２５  天井、２６  本体埋込穴、２７  ねじ穴、２８  天面、２９  電源電線固定部品、３０  モータ取付板固定ねじ、３１  埃侵入抑制カバー、１００  ダクト用換気扇。
【図１】
2019162986.tif 000003
【図２】
2019162986.tif 000004
【図３】
2019162986.tif 000005
【図４】
2019162986.tif 000006
【図５】
2019162986.tif 000007
【図６】
2019162986.tif 000008
【図７】
2019162986.tif 000009
【図８】
2019162986.tif 000010
【図９】
2019162986.tif 000011
【図１０】
2019162986.tif 000012
【図１１】
2019162986.tif 000013
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
天面及び底面が開口した箱状であり、側面に排気口が設けられ、前記底面の開口が吸気口をなす換気扇本体と、
前記換気扇本体の前記天面を塞ぎ、前記換気扇本体の前記底面の開口を通じて前記換気扇本体に着脱可能なモータ取付板と、
前記吸気口から前記換気扇本体の中に流入して前記排気口から流出する気流を形成するファン、及び前記ファンを駆動するモータを有し、前記モータが前記モータ取付板に固定される送風機と、
前記モータ取付板の上面に設置され、外部電源電線と前記モータとを電気的に接続する電線接続装置と、
前記モータ取付板の上面に設置され、前記換気扇本体の外での前記電線接続装置と前記外部電源電線との電気的接続の確実性が低下することを防止する保護部材と、
前記電線接続装置の前記外部電源電線の挿入側に設置され、前記電線接続装置への前記外部電源電線の固定を解除する解除ボタンとを備え、
前記送風機、前記電線接続装置及び前記保護部材は、前記モータ取付板とともに前記換気扇本体の前記底面の開口を通じて、前記換気扇本体に着脱可能であることを特徴とするダクト用換気扇。
【請求項２】
前記保護部材は、前記外部電源電線が前記電線接続装置から引き抜かれることを防止する電源電線固定部品であり、前記電源電線固定部品は前記モータ取付板に固定されることを特徴とする請求項１に記載のダクト用換気扇。
【請求項３】
前記保護部材は、前記外部電源電線の結線部に埃が侵入することを防止する埃侵入抑制カバーであり、前記埃侵入抑制カバーはモータ取付板に固定されることを特徴とする請求項１に記載のダクト用換気扇。
【請求項４】
前記保護部材は、前記外部電源電線が前記電線接続装置から引き抜かれることを防止する電源電線固定部品と、前記外部電源電線の結線部に埃が侵入することを防止する埃侵入抑制カバーとを含み、前記電源電線固定部品及び前記埃侵入抑制カバーは前記モータ取付板に固定されることを特徴とする請求項１に記載のダクト用換気扇。
【請求項５】
前記埃侵入抑制カバーは、難燃性又は不燃性であることを特徴とする請求項３又は４に記載のダクト用換気扇。
【請求項６】
前記換気扇本体は前記送風機を収容するファンケーシングを備え、前記ファンケーシングは前記モータ取付板に固定されることを特徴とする請求項１から５のいずれか１項に記載のダクト用換気扇。
【請求項７】
前記送風機を制御する制御回路が、前記モータ取付板に取り付けられることを特徴とする請求項１から５のいずれか１項に記載のダクト用換気扇。
【国際調査報告】
2019162986.tif 000014
2019162986.tif 000015
2019162986.tif 000016
2019162986.tif 000017